【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
個々に結束された横シールド対撚線データケーブルであって、絶縁された対撚線ケーブルと、金属テープ、非金属ベースおよび前記ベースの片面に金属の層を有する第一の複合テープ、非金属ベースおよび前記ベースの両面に金属の層を有する第二の複合テープからなる部類から選択されるシールドテープを具備し、前記シールドテープは個々の前記対撚線ケーブルに少なくとも１０％の重なりを有して横にラッピングされており(being laterally wrapped)、前記シールドテープに織繊維(fabric)又は金属のバインダーが巻きつけられて結束された横シールド対撚線ケーブルを供給しており、前記シールドテープは０．３３乃至２．００ミルの金属厚さを有し、前記シールドテープおよびバインダーは、シールドされる対撚線ケーブルの空気のほぼ全量を除去し且つその断面的区域の２５％未満の断面的ボイド区域を残存させる張力で前記対撚線に巻き付けられて前記結束された横シールド対撚線データケーブルを供給しており、前記結束された横シールド対撚線データケーブルは、５０乃至２００オームの平均インピーダンス近くで標準偏差を計算した時、２０℃に調整した値で４．５以下の標準インピーダンス偏差を有することを特徴とする個々に結束された横シールド対撚線データケーブル。
【請求項２】
前記ケーブルは１０００MHzまでの定格を有しており、前記標準偏差は３２８ｆｔ以上の長さのケーブルにより１．０から１０００MHzまで少なくとも３５０の周波数測定を行って測定され、９０乃至１１０オームの平均インピーダンス近くで計算されていることを特徴とする請求項１のケーブル。
【請求項３】
前記ケーブルは６００MHzまでの定格を有しており、前記インピーダンス偏差は３２８ｆｔ以上の長さのケーブルにより１．０から６００MHｚまで少なくとも３５０の周波数測定を行って測定され、前記標準インピーダンス偏差は３．５以下であって、９０乃至１１０オームの平均インピーダンス近くで計算されていることを特徴とする請求項１のケーブル。
【請求項４】
前記断面的ボイド区域は１８％未満であり、前記シールドテープは０．７５乃至１．２５ミルの金属厚さを有することを特徴とする請求項２のケーブル。
【請求項５】
前記断面的ボイド区域は１８％未満であり、前記シールドテープは０．７５乃至１．２５ミルの金属厚さを有することを特徴とする請求項３のケーブル。
【請求項６】
少なくとも４対の前記個々に結束された横シールド対撚線ケーブルと、前記少なくとも４対の結束された横シールド対撚線ケーブルを取囲んで高性能データケーブルを供給する防食層とを更に具備し、前記高性能データケーブルは３２８ｆｔ以上の長さに基く２０℃に調整した値の平均標準インピーダンス偏差が４．５以下であり、前記平均標準インピーダンス偏差は前記少なくとも４対の結束された横シールド対撚線ケーブルの各々について測定された標準インピーダンス偏差の平均であり、標準インピーダンス偏差は、前記少なくとも４対の結束された横シールド対撚線ケーブルの各々について少なくとも３５０の周波数測定を行って、５０乃至２００オームの平均インピーダンス近くで計算されていることを特徴とする請求項１のケーブル。
【請求項７】
前記高性能データケーブルは定格が少なくとも６００MHzまでであり、前記少なくとも４対の結束された横シールド対撚線ケーブルは、各々１８％未満の断面的ボイド区域を有しており、前記高性能データケーブルは、３２８フィート以上の長さの高性能データケーブルに基く２０℃に調整した値の平均標準インピーダンス偏差が３．５以下であり、標準インピーダンス偏差は、前記少なくとも４対の結束された横シールド対撚線ケーブルの各々について１．０から６００MHzまで少なくとも３５０の周波数測定を行って、９０乃至１１０オームの平均インピーダンス近くで計算されており、且つ個々の標準インピーダンス偏差はいずれも前記平均インピーダンスから６以下の大きさであることを特徴とする請求項６のケーブル。
【請求項８】
高性能データケーブルは定格が少なくとも１０００MHzまでであり、前記少なくとも４対の結束された横シールド対撚線ケーブルは各々１８％未満の断面的ボイド区域を有しており、前記高性能データケーブルは３２８フィート以上の長さの高性能データケーブルに基く２０℃に調整した値の平均標準インピーダンス偏差が４．５以下であり、標準インピーダンス偏差は、前記少なくとも４対の結束された横シールド対撚線ケーブルの各々について１．０から１０００MHzまで少なくとも３５０の周波数測定を行って、９０乃至１１０オームの平均インピーダンス近くで計算されており、且つ個々の標準インピーダンス偏差はいずれも前記平均インピーダンスから６以下の大きさであることを特徴とする請求項６のケーブル。
【請求項９】
耐温度(temperature-resistant)難燃性セパレータテープが前記少なくとも４対の結束された横シールド対撚線ケーブルを取巻いて前記防食層とケーブル心線との間に存在しており、前記防食層は非フッ素系のポリオレフィンであることを特徴とする請求項６のケーブル。
【請求項１０】
前記高性能データケーブルは定格が少なくとも６００MHzまでであり、前記少なくとも４対の結束された横シールド対撚線ケーブルは各々１８％未満の断面的ボイド区域を有しており、前記高性能データケーブルは、３２８フィート以上の長さの高性能データケーブルに基く２０℃に調整した値の平均標準インピーダンス偏差が３．５以下であり、標準インピーダンス偏差は前記少なくとも４対の結束された横シールド対撚線ケーブルの各々について１．０から６００MHzまで少なくとも３５０の周波数測定を行って、９０乃至１１０オームの平均インピーダンス近くで計算されており、且つ個々の標準インピーダンス偏差はいずれも前記平均インピーダンスから６以下の大きさであり、耐温度難燃性セパレータテープが前記少なくとも４対の結束された横シールド対撚線ケーブルを取巻いて前記防食層とケーブル心線との間に存在しており、前記防食層は非フッ素処理ポリオレフィンであることを特徴とする請求項６のケーブル。
【請求項１１】
前記高性能データケーブルは定格が少なくとも１０００MHzまでであり、前記少なくとも４対の結束された横シールド対撚線ケーブルは各々１８％未満の断面的ボイド区域を有しており、前記高性能データケーブルは３２８フィート以上の長さの高性能データケーブルに基く２０℃に調整した値の平均標準インピーダンス偏差が４．５以下であり、標準インピーダンス偏差は前記少なくとも４対の結束された横シールド対撚線ケーブルの各々について１．０から１０００MHzまで少なくとも３５０の周波数測定を行って９０乃至１１０オームの平均インピーダンス近くで計算されており、且つ個々の標準インピーダンス偏差はいずれも前記平均インピーダンスから６以下の大きさであり、耐温度難燃性セパレータテープが前記少なくとも４対の結束された横シールド対撚線ケーブルを取巻いて前記防食層とケーブル心線との間に存在しており、前記防食層は非フッ素系のポリオレフィンであることを特徴とする請求項６のケーブル。
【請求項１２】
少なくとも4対の結束された横シールド対撚線ケーブルを提供するように各対撚線ケーブルが横にシールドされて結束された少なくとも4対の対撚線ケーブルを含むケーブル心線と、前記少なくとも４対の結束された横シールド対撚線ケーブルを取巻いて防食層とケーブル心線との間に存在する耐温度難燃性セパレータテープとを含み、前記防食層が非フッ素処理ポリオレフィンであるUL９１０プレナム（ｐｌｅｎｕｍ）高性能データケーブルであって、前記セパレータテープは、シールドされる対撚線ケーブルの空気のほぼ全量を除去し且つその断面的区域の２５％未満の断面的ボイド区域を残存させる張力で前記対撚線に巻き付けられて前記結束された横シールド対撚線ケーブルを供給しており、前記結束された横シールド対撚線ケーブルは、５０乃至２００オームの平均インピーダンス近くで標準偏差を計算した時、２０℃に調整した値で４．５以下の標準インピーダンス偏差を有することを特徴とするUL９１０プレナム（ｐｌｅｎｕｍ）高性能データケーブル。
【請求項１３】
前記ケーブルは少なくとも定格が少なくとも６００MHzまでであり、前記高性能データケーブルは３２８フィート以上の長さの高性能データケーブルに基く２０℃に調整した値の平均標準インピーダンス偏差が３．５以下であり、標準インピーダンス偏差は、前記少なくとも４対のケーブルの各々について１．０から６００MHzまで少なくとも３５０の周波数測定を行って測定され、９０乃至１１０オームの平均インピーダンス近くで計算されており、且つ個々の標準インピーダンス偏差がいずれも前記平均インピーダンスから６以下の大きさであることを特徴とする請求項１２のケーブル。
【請求項１４】
前記ケーブルは定格が少なくとも１０００MHzまでであり、前記高性能データケーブルは３２８フィート以上の長さの高性能データケーブルに基く２０℃に調整した値の平均標準インピーダンス偏差が４．５以下であり、標準インピーダンス偏差は、前記少なくとも４対のケーブルの各々について１．０から１０００MHzまで少なくとも３５０の周波数測定を行って測定され、９０乃至１１０オームの平均インピーダンス近くで計算されており、且つ個々の標準インピーダンス偏差がいずれも前記平均インピーダンスから６以下の大きさであることを特徴とする請求項１２のケーブル。
【請求項１５】
個々に結束された横対撚線データケーブルの製作方法であって、 発泡又は非発泡フルオロ共重合体およびポリオレフィンからなる部類から選択される絶縁を有する対撚線ケーブルを供給し、前記対撚線ケーブルを金属シールドテープで横にラッピングして、少なくとも１０％の前記シールドテープの重なりを有する横シールド対撚線ケーブルを供給し、この場合前記シールドテープは０．３３乃至２．００ミルの金属厚さを有し、且つ前記シールドテープは金属テープ、非金属ベースおよび前記ベースの片面に金属の層を有する第一の複合テープ、非金属ベースおよび前記ベースの両面に金属の層を有する第二の複合テープからなる部類から選択され、前記横シールド対撚線ケーブルに織繊維又は金属のバインダーを巻きつけて結束された横シールド対撚線ケーブルを供給し、 標準インピーダンス偏差を３２８フィート以上の長さのケーブルで少なくとも３５０の周波数測定を行って測定し、標準インピーダンスを５０乃至２００オームの平均インピーダンス近くで計算した時、前記結束された横シールド対撚線ケーブルに４．５、あるいはそれ以下の２０℃における標準インピーダンス偏差を付与する張力で金属シールドテープおよびバインダーを横に巻きつけることを特徴とする個々に結束された横対撚線データケーブルの製作方法。
【請求項１６】
前記シールドテープは０．７５乃至１．２５ミルの金属厚さを有し、前記断面的ボイド区域が１８％未満となるように対撚線ケーブルに巻きつけて結束し、前記ケーブルは６００MHzまでの定格を有し、前記少なくとも３５０の周波数測定は１．０から６００MHzまで行なわれ、前記標準偏差は３．５以下であって、９０乃至１１０オームの平均インピーダンス近くで計算され、且つ個々の偏差はいずれも前記平均インピーダンスから６以下の大きさであることを特徴とする請求項１５の方法。
【請求項１７】
前記シールドテープは０．７５乃至１．２５ミルの金属厚さを有し、前記断面的ボイド区域が１８％未満となるように対撚線ケーブルに巻きつけて結束し、前記ケーブルは１０００MHzまでの定格を有し、前記少なくとも３５０の周波数測定は１．０から１０００MHzまで行われ、前記標準偏差は４．５以下であって、９０乃至１１０オームの平均インピーダンス近くで計算され、且つ個々の偏差はいずれも前記平均インピーダンスから６以下の大きさであることを特徴とする請求項１５の方法。
【請求項１８】
少なくとも４対の前記結束された横シールド対撚線ケーブルを結束し、少なくとも４対の個々に結束された横シールド対撚線を結束したケーブルの上に防食層を押出して高性能データケーブルを供給し、前記少なくとも４対の個々に結束された横シールド対撚線ケーブルを選択して、６００MHzまでの定格の３２８フィート以上の長さの高性能データケーブルの時、前記高性能データケーブルに３．５、あるいはそれ以下の平均標準インピーダンス偏差を付与し、この場合の標準インピーダンス偏差は前記少なくとも４対の結束された横シールド対撚線ケーブルの各々について少なくとも３５０の周波数測定を行って測定し、９０乃至１１０オームの平均インピーダンス近くを選んで計算し、且つ前記平均標準インピーダンス偏差は前記少なくとも４対の結束された横シールド対撚線ケーブルの全部について測定される前記標準インピーダンス偏差の平均であることを更なる特徴とする請求項１５の方法。
【請求項１９】
少なくとも４対の前記個々に結束された横シールド対撚線ケーブルを結束し、 この少なくとも４対の結束された横シールド対撚線を結束したケーブルの上に防食層を押出して高性能データケーブルを供給し、前記少なくとも４対の結束された横シールド対撚線ケーブルを選択して、１０００MHzまでの定格の３２８フィート以上の長さの高性能データケーブルの時、前記高性能データケーブルに４．５、あるいはそれ以下の平均標準インピーダンス偏差を付与し、この場合の標準インピーダンス偏差は前記少なくとも４対の結束された横シールド対撚線ケーブルの各々について少なくとも３５０の周波数測定を行って測定し、９０乃至１１０オームの平均インピーダンス近くを選んで計算し、且つ前記平均標準インピーダンス偏差は前記少なくとも４対の結束された横シールド対撚線ケーブルの全部について測定した前記標準インピーダンス偏差の平均であることを更なる特徴とする請求項１５の方法。
【請求項２０】
防食層を押出す前に、耐温度難燃性セパレータテープを少なくとも４対の結束された横シールド対撚線ケーブルに、耐温度難燃性セパレータテープが前記防食層とケーブル心線との間に存在するように巻回し、前記防食層は非フッ素処理ポリオレフィンであることを更なる特徴とする請求項１８の方法。
【請求項２１】
防食層を押出す前に、前記耐温度難燃性テープを前記少なくとも４対の結束された横シールド対撚線ケーブルに、この耐温度難燃性セパレータテープの包囲(surroundings)が前記防食層とケーブル心線との間に存在するように巻回し、 前記防食層は非フッ素処理ポリオレフィンであることを更なる特徴とする請求項１９の方法。